(57)【要約】【課題】既製の自動販売機はもとより、設置済みの自動販売機にも適用可能で、低コストで動画広告情報を配信できるようにしたシステムを提供する。【解決手段】内部に商品を保管する空間を有する筐体３を備え、この筐体３の前面に当該商品の見本を展示する展示窓５、購入された商品の取り出し口６及び広告を表示する広告窓７が設けられ、この広告窓７が、前記筐体３の前面に形成された開口と、この開口を閉塞するように取り付けられた透明基材とからなり、購入者の指定に応じて前記商品が取り出し口から取り出せるようにした自動販売機２において、  筐体３の前面における前記広告窓７の内側に、通信機能及び動画情報表示機能を有するタブレット端末８を配置し、このタブレット端末８にネットワークを介してサーバから動画広告情報を配信できるようにしたことを特徴とする。【選択図】図１
2014142896.tif 000002
【特許請求の範囲】
【請求項１】
内部に商品を保管する空間を有する筐体を備え、この筐体の前面に当該商品の見本を展示する展示窓、購入された商品の取り出し口及び広告を表示する広告窓が設けられ、この広告窓が、前記筐体の前面に形成された開口と、この開口を閉塞するように取り付けられた透明基材とからなり、購入者の指定に応じて前記商品が取り出し口から取り出せるようにした自動販売機において、
筐体の前面における前記広告窓の内側に、通信機能及び動画情報表示機能を有するタブレット端末を配置し、このタブレット端末にネットワークを介してサーバから動画広告情報を配信できるようにしたことを特徴とする自動販売機を介した動画広告情報配信システム。
【請求項２】
更に、前記開口とほぼ同面積の第二の透明基材と、第二の透明基材の表面の所定の領域を覆うべく貼り付けられた化粧板と、第二の透明基材の裏面に固定されて当該裏面とともに前記タブレット端末を支持する支持部材とからなる端末ケースを更に備え、
この端末ケースを前記筐体の前面における前記広告窓の内側に配置し、第二の透明基材における前記化粧板で覆われていない領域を透して、前記タブレット端末に表示される動画広告を視認できるようにした請求項１に記載のシステム。
【発明の詳細な説明】
【技術分野】
【０００１】
この発明は、自動販売機内部にタブレット端末を配置して動画広告情報を配信できるようにした動画広告情報配信システムに関する。
【背景技術】
【０００２】
自動販売機は、街頭の至る所に設置されており、多くの消費者の目にとまる。大部分の既製の自動販売機は、図４に示すように、当該商品の見本を展示する展示窓Ｗ、及び購入された商品の取り出し口Ｍが筐体Ｂの前面に設けられている。そして、筐体Ｂ前面には、紙幣投入口、硬貨投入口、釣り銭取り出し口などを設けても依然として余白領域を大面積で有することから、そこに広告を表示する広告窓Ａが設けられている。広告窓Ａは、前記筐体の前面に形成された開口Ｏと、この開口Ｏを閉塞するように取り付けられた透明基材Ｐとからなる。そして、厚紙、プラスチック板などの媒体Ｃの表面に広告を印刷したものを広告窓Ａの内側に配置し、透明基材Ｐを透して媒体Ｃ表面の広告を視認できるようになっている。
【０００３】
一方、自動販売機にネットワーク端末を一体化して設置し、商品に関する広告情報を配信するようにしたシステムが提案されている（特許文献１）。このシステムでは双方向通信も可能とされており、静止画像だけでなく動画や音声も発信可能である。
【先行技術文献】
【特許文献】
【０００４】
【特許文献１】特開２００２−７４５０３号公報
【発明の概要】
【発明が解決しようとする課題】
【０００５】
しかし、図４に示す広告媒体Ｃでは静止画像しか表示されないし、広告情報を更新する度に媒体Ｃごと交換しなければならない。
一方、前記システムは、自動販売機とネットワーク端末とが一体化したものであるから、「・・・消費者が、自動販売機３のパネルやキーボード等（ネットワーク端末５の入力装置）を操作して、・・・入力する・・・」（段落００１５）と記載されているように、自動販売機自体を双方向通信可能な仕様に改良しなければならない。従って、既に設置済みの自動販売機に適用することはできないし、また、前記自動販売機の製造コストも高い。
それ故、この発明の課題は、既製の自動販売機はもとより、設置済みの自動販売機にも適用可能で、低コストで動画広告情報を配信できるようにしたシステムを提供することにある。
【課題を解決するための手段】
【０００６】
その課題を解決するために、この発明のシステムは、
内部に商品を保管する空間を有する筐体を備え、この筐体の前面に当該商品の見本を展示する展示窓、購入された商品の取り出し口及び広告を表示する広告窓が設けられ、この広告窓が、前記筐体の前面に形成された開口と、この開口を閉塞するように取り付けられた透明基材とからなり、購入者の指定に応じて前記商品が取り出し口から取り出せるようにした自動販売機において、
筐体の前面における前記広告窓の内側に、通信機能及び動画情報表示機能を有するタブレット端末を配置し、このタブレット端末にネットワークを介してサーバから動画広告情報を配信できるようにしたことを特徴とする。
【０００７】
この発明のシステムによれば、筐体の前面における広告窓の内側に、通信機能及び動画情報表示機能を有するタブレット端末を配置し、このタブレット端末にネットワークを介してサーバから動画広告情報を配信できるようにしているので、最新の動画広告情報をリアルタイムで配信することができる。しかも既製の自動販売機において広告媒体Ｃを配置することに代えてタブレット端末を配置し、自動販売機に備え付けの電源に接続するだけで足りるので、自動販売機自体の改良や大がかりな工事は不要である。
【０００８】
この発明のシステムにおいて、更に端末ケースを備えるとよい。端末ケースは、前記開口とほぼ同面積の第二の透明基材と、第二の透明基材の表面の所定の領域を覆うべく貼り付けられた化粧板と、第二の透明基材の裏面に固定されて当該裏面とともに前記タブレット端末を支持する支持部材とからなる。そして、この端末ケースを前記筐体の前面における前記広告窓の内側に配置し、第二の透明基材における前記化粧板で覆われていない領域を透して、前記タブレット端末に表示される動画広告を視認できるようにする。
【０００９】
これにより、タブレット端末の表示装置を広告窓の透明基材と第二の透明基材とで二重に保護することができるとともに、同表示装置がタッチパネルのような入力機能を有していても管理者以外の者による入力を防止することができる。また、化粧板に模様や絵柄を施すことで、様々なサイズの広告窓に調和させてタブレット端末を配置することもできる。
【発明の効果】
【００１０】
以上のように、この発明によれば、設置済みに自動販売機を含むほとんど全ての既製の自動販売機を利用して最新の広告を動画にて低コストで提供することができる。
【図面の簡単な説明】
【００１１】
【図１】実施形態のシステムにおける自動販売機と端末ケースを示し、（ａ）はその正面図、（ｂ）は（ａ）におけるＸＸ断面図である。
【図２】前記端末ケースを示し、（ａ）はその正面図、（ｂ）は側面図である。
【図３】前記端末ケースを示し、（ａ）はその背面図、（ｂ）はそのＹＹ断面図である。
【図４】従来の自動販売機を示し、（ａ）はその正面図、（ｂ）は（ａ）におけるＺＺ断面図である。
【発明を実施するための形態】
【００１２】
実施形態の動画広告情報配信システム（以下、単に「システム」という。）を図１−３とともに説明する。システム１は、缶入り又はボトル入りの清涼飲料を販売する自動販売機２を備える。
【００１３】
自動販売機２は、内部に図略の商品を保管する空間を有する直方体状の筐体３を備えている。筐体３は前面に開閉可能にヒンジ結合された扉４を有し、扉４の正面上半部に当該商品の見本を展示する展示窓５、扉４の下端近くに購入された商品の取り出し口６、展示窓５と商品取り出し口６との間の領域に広告を表示する広告窓７が設けられている。扉４の正面には、展示窓５と商品取り出し口６と広告窓７とで囲まれる領域に硬貨投入口、紙幣投入口、料金表示窓（以上、符号省略）などが設けられ、商品取り出し口６の横の領域に釣り銭取り出し口（符号省略）が設けられている。購入者は、貨幣を投入し、展示窓５の見本に対応するボタンを押すと、内部の商品が落下して取り出し口６から取り出せる。
【００１４】
広告窓７は、扉４に形成された開口７１と、開口７１を閉塞するように取り付けられたアクリル板等の透明基材７２とからなる。扉４には広告窓７の内側に広告媒体を配置するためのポケット７３が設けられている。ポケット７３には、タブレット端末８を収納した端末ケース９が配置されている。タブレット端末８は、ＣＰＵ及びメモリを内蔵し、主面のほぼ全体に液晶ディスプレイが装填されていて、Ｗ−ＣＤＭＡ方式、ＣＤＭＡ２０００方式などの３Ｇ方式の通信機能及び動画情報表示機能を有するもので、例えば市販のＳｏｎｙ Ｔａｂｌｅｔ（登録商標）Ｓなどである。タブレット端末８は、この実施形態では正面視長方形で、下端から上端に向かうにつれて厚さが増している。
【００１５】
端末ケース９は、開口７１とほぼ同面積の透明基材９１と、透明基材９１の表面のうちタブレット端末８を透視させるための方形の領域を除く他の領域を覆うべく貼り付けられた化粧板９２と、透明基材９１の裏面に固定されて当該裏面とともにタブレット端末８を支持する支持部材９３とからなる。支持部材９３は、タブレット端末８が立ち姿勢にあるときの両側面に対向するように透明基材９１の裏面に接着された横フレーム９３ａ、９３ｂ、タブレット端末８の下端面に対向するように接着された下フレーム９３ｃ、横フレーム９３ａ、９３ｂに跨ってボルトにて締結された上押さえ板９３ｄ、下フレーム９３ｃの前記接着面と対向する面に接着された下押さえ板９３ｅとからなる。横フレーム９３ａ、９３ｂの肉厚は、タブレット端末８の上端部の肉厚よりもやや大きく、下フレーム９３ｃの肉厚はタブレット端末８の下端部の肉厚よりもやや大きい。下フレーム９３ｃは、背面視で左側に位置する横フレーム９３ａ側に偏っていて、右端は横フレーム９３ｂとの間に余裕をもって電源プラグが通過可能な距離を保っている。
【００１６】
タブレット端末８は、その液晶ディスプレイが透明基材９１側を向くように透明基材９１と上押さえ板９３ｄとの間に上から挿入し、下端を透明基材９１と下押さえ板９３ｅとの間に差し込むことにより、端末ケース９に収納される。この状態で端末ケース９をポケット７３に立て掛けると、タブレット端末８の液晶ディスプレイが透明基材７２、９１を透して筐体３の前面に現れる。このため、タブレット端末８に電源を投入し、ネットワークを介して図略のサーバから動画広告情報を配信すると、商品購入者や通りがかりの者がタブレット端末に表示される動画広告を閲覧することができる。
【００１７】
この実施形態によれば、自動販売機２の筐体３自体は既製のものであってよい。印刷された広告のためにしか利用されていなかった広告窓を動画広告に利用することができる。しかも一般に、展示窓５は筐体の上半部、商品取り出し口６は下端付近に設けられていることから、広告窓７は目に付きやすい中央に位置し、ここに動画広告を掲載することで広告効果が著しく増す。動画広告としては、自動販売機２にて販売される商品に限らず、他の如何なる商品・役務であってもよく、広告情報配信の期間や頻度に応じて課金することもできる。
【符号の説明】
【００１８】
１  動画広告情報配信システム
２  自動販売機
３  筐体
４  扉
５  展示窓
６  商品取り出し口
７  広告窓
８  タブレット端末
９  端末ケース
【図１】
2014142896.tif 000003
【図２】
2014142896.tif 000004
【図３】
2014142896.tif 000005
【図４】
2014142896.tif 000006